(57)【要約】【課題】釣竿をガタ付きなく且つ屈曲させることなく安定して収納保持できるとともに、構造が簡単で低コストな釣竿収納ケースを提供する。【解決手段】本発明の一実施形態に係る釣竿収納ケース１は、釣竿５０を収容するためのケース本体１０と、ケース本体１０内に嵌挿されて釣竿を保持する保持体３０と、保持体３０に対して釣竿を固定するための固定手段２０，４０とを備える。この構成では、釣竿５０の基端５９に当て付くケース本体１０の底面１５と釣竿５０の釣糸ガイド５１ｃに当接する固定手段２０の当接面２０ｂとによって釣竿５０を軸方向で挟み込むことにより釣竿５０の軸方向の動きが規制される。【選択図】  図２
2016067305.tif 000002
【特許請求の範囲】
【請求項１】
釣竿を収容するための収容空間を形成する筒状のケース本体と、
前記ケース本体内に嵌挿されて釣竿を保持する保持体と、
前記保持体に対して釣竿を固定するための固定手段と、
を備え、
前記固定手段は、釣竿の竿杆部を受けるスリットと前記竿杆部にその径方向に突出して設けられる段部に当接する当接面とを有する緩衝部材と、前記緩衝部材の前記当接面を前記段部に当接させた状態で前記緩衝部材を前記保持体に対して固定する固定部材とを有し、
釣竿の基端に当て付く前記ケース本体の底面と釣竿の前記段部に当接する前記緩衝部材の前記当接面とによって釣竿を軸方向で挟み込むことにより釣竿の軸方向の動きを規制することを特徴とする釣竿収納ケース。
【請求項２】
前記緩衝部材の前記段部が釣竿に設けられる釣糸ガイドであることを特徴とする請求項１に記載の釣竿収納ケース。
【請求項３】
前記緩衝部材が柱状体を成し、前記スリットが前記緩衝部材の周側面にその軸方向の全長にわって設けられることを特徴とする請求項１または請求項２に記載の釣竿収納ケース。
【請求項４】
前記固定部材が線状部材から成り、前記線状部材は、前記保持体に形成される２つの貫通穴に通された状態で釣竿に装着される前記緩衝部材の周囲で縛られることによって前記緩衝部材を釣竿と共に前記保持体に対して固定することを特徴とする請求項１から３のいずれか一項に記載の釣竿収納ケース。
【請求項５】
前記保持体に対する前記緩衝部材の軸方向の移動が前記線状部材によって規制されることを特徴とする請求項４に記載の釣竿収納ケース。
【請求項６】
前記保持体は、前記ケース本体の内周面に嵌合される嵌合部と、前記嵌合部から段差を介して延びることによって前記ケース本体内で前記収容空間を画定する釣竿保持部とを有し、前記釣竿保持部の釣竿保持面および前記段差にそれぞれ前記貫通穴が形成され、前記貫通穴を通って縛られる前記線状部材によって前記緩衝部材が前記段差の角に押し当てられて保持されることを特徴とする請求項４または請求項５に記載の釣竿収納ケース。
【請求項７】
前記緩衝部材は、前記ケース本体の外部から前記スリットを視認できないように前記スリットが前記保持体と対向されるように方向付けられて位置されることを特徴とする請求項１から６のいずれか一項に記載の釣竿収納ケース。
【発明の詳細な説明】
【技術分野】
【０００１】
本発明は、釣竿を収納保持するための釣竿収納ケースに関し、特に、釣竿の運搬時などにおいて釣竿を保護するべく収納する釣竿収納ケースに関する。
【背景技術】
【０００２】
従来から、釣竿を運搬したり、釣竿を販売店で展示できるようにするために、釣竿を収納保持する釣竿収納ケースは数多く知られている。
【０００３】
例えば、特許文献１に開示される釣竿収納ケースは、合成樹脂から成る透明な角筒状のケ−ス本体と、合成樹脂から成る透明な有底筒状の上下の蓋体とによって形成され、ケ−ス本体内には、紙板材から成る釣竿保持部材と、釣竿保持部材の先端に固定される先側釣竿保持部材とが挿入され、釣竿保持部材と先側釣竿保持部材とによって穂先側の釣竿が保持されるとともに、ケ−ス本体の中に元竿側の釣竿と竿袋とが挿入される。また、釣竿保持部材は、紙板材の横幅の略中央が長手方向に左向きＬ字形と右向きＬ字形とに折り畳まれて起立部分が接合されることにより、長手方向の突堤部を形成しており、この突堤部には、穂先側の釣竿の釣糸ガイドの間隔に合わせて釣糸ガイドの硬質ガイドが挾持される幅に形成された溝からなる挾持部が形成されている。
【０００４】
しかしながら、この特許文献１の釣竿収納ケースは、釣竿保持部材および先側釣竿保持部材の形状が複雑であるとともに、ケース本体内で釣竿を安定して保持するために緩衝材を含めて様々な多数の部品を必要とする。すなわち、この特許文献１に開示される釣竿収納ケースは、形状が複雑であり、部品点数が多く、したがって、製造コストが高くなるとともに、釣竿の収納に手間もかかる。
【０００５】
そのため、構造が簡単で収納が容易な低コストの釣竿収納ケースとして、合成樹脂から成る透明な角筒状のケ−ス本体と、該ケース本体の上部開口を閉じるための有底筒状の蓋体とから成り、ケース本体内に収容された釣竿の竿先と蓋体との間に介挿される緩衝部材によって釣竿をケ−ス本体内に保持する釣竿収納ケースも広く使用されている。
【先行技術文献】
【特許文献】
【０００６】
【特許文献１】特開２００１−９５４５１号公報
【発明の概要】
【発明が解決しようとする課題】
【０００７】
しかしながら、ケース本体内に収容された釣竿の竿先と蓋体との間に介挿される緩衝部材によって釣竿をケ−ス本体内に保持する構造が簡単な前述した釣竿収納ケースは、実質的に緩衝部材によって釣竿をケース本体内で支えているだけであるため、釣竿がケース本体内で上下左右にガタ付き易い。特に、運搬中などにおいて激しい振動や衝撃に晒されると、釣竿がケース本体内で上下左右に大きくガタ付き、あるいは、釣竿がケース本体内壁と激しく接触して、釣竿が破損する虞がある。また、緩衝部材によって竿先は保護できるものの、ケース本体内での釣竿の上下（釣竿の長手方向）のガタ付きによって竿先が緩衝部材から受ける軸力に伴い、竿先から所定の距離を隔てた釣竿の部位に曲げモーメントも作用し、その部位で釣竿が屈曲して破損する虞もある。
【０００８】
本発明は、上記した問題に着目してなされたものであり、釣竿をガタ付きなく且つ屈曲させることなく安定して収納保持できるとともに、構造が簡単で低コストな釣竿収納ケースを提供することを目的とする。
【課題を解決するための手段】
【０００９】
上記した目的を達成するために、本発明の釣竿収納ケースは、釣竿を収容するための収容空間を形成する筒状のケース本体と、前記ケース本体内に嵌挿されて釣竿を保持する保持体と、前記保持体に対して釣竿を固定するための固定手段とを備え、前記固定手段は、釣竿の竿杆部を受けるスリットと前記竿杆部にその径方向に突出して設けられる段部に当接する当接面とを有する緩衝部材と、前記緩衝部材の前記当接面を前記段部に当接させた状態で前記緩衝部材を前記保持体に対して固定する固定部材とを有し、釣竿の基端に当て付く前記ケース本体の底面と釣竿の前記段部に当接する前記緩衝部材の前記当接面とによって釣竿を軸方向で挟み込むことにより釣竿の軸方向の動きを規制することを特徴とする。
【００１０】
上記構成の釣竿収納ケースによれば、釣竿を保持する保持体に対して釣竿を固定するための固定手段によってケース本体内での釣竿の左右方向（径方向）のガタ付きが規制されるとともに、釣竿の基端（竿先と反対側の端部）に当て付くケース本体の底面と釣竿の段部に当接する固定手段の緩衝部材の当接面とによって釣竿を軸方向で挟み込むことにより釣竿の軸方向（上下方向；釣竿の長手方向）の動きが規制される。そのため、運搬中などにおいて激しい振動や衝撃に晒されても、釣竿がケース本体内でガタ付くことが防止され、また、釣竿がケース本体内壁と激しく接触したり屈曲して破損することも防止できる。しかも、このような作用効果は、釣竿の基端をケース本体の底面に当て付けて固定手段により釣竿を保持体に対して固定するだけの簡単な構造によって得ることができる。すなわち、上記構成の釣竿収納ケースによれば、釣竿をガタ付きなく且つ屈曲させることなく安定して収納保持できるとともに、構造が簡単で低コストな釣竿収納を実現できる。
【発明の効果】
【００１１】
本発明によれば、釣竿をガタ付きなく且つ屈曲させることなく安定して収納保持できるとともに、構造が簡単で低コストな釣竿収納ケースを提供できる。
【図面の簡単な説明】
【００１２】
【図１】本発明の一実施形態に係る釣竿収納ケースを構成する保持体と、釣竿に装着された固定手段の緩衝部材とを示す斜視図である。
【図２】固定手段によって保持体に固定された釣竿と、釣竿収納ケースを構成するケース本体とを、竿袋と共に示す斜視図である。
【図３】釣竿が釣竿収納ケース内に完全に収納された収納状態を示す斜視図である。
【発明を実施するための形態】
【００１３】
以下、本発明に係る釣竿収納ケースの実施形態について図面を参照しながら具体的に説明する。
【００１４】
図１〜図３は本発明の一実施形態に係る釣竿収納ケース１を示している。図２に全体的に示されるように、本実施形態の釣竿収納ケース１は、釣竿５０を収容するための収容空間Ｓを形成する筒状の透明な樹脂製（例えばＡ−ＰＥＴ）のケース本体１０と、ケース本体１０内に嵌挿されて釣竿５０を保持するための屈曲形成された例えば紙板材から成る保持体３０と、保持体３０に対して釣竿５０を固定するための固定手段（緩衝部材２０，固定部材４０）とを備える。なお、ケース本体１０の外面には、ブランドシール、ベクトルシール、品名シール、機能シール、補強シールなどの各種のシール１２（図２において黒く塗りつぶされている部分）が貼り付けられる。
【００１５】
なお、釣竿収納ケース１内に収納される釣竿５０は、本実施形態では、１本竿（ワンピースロッド）から成るが、その形態は特に限定されない。また、この釣竿５０は、例えば魚釣用リールが装着されてもよい把持部５０ｂを基端側に有するとともに、その竿杆部５０の長手方向に沿って所定の間隔を隔てて、魚釣用リールから繰り出される釣糸を案内する複数の釣糸ガイド５１ａ，５１ｂ，５１ｃ（竿先（先端）はトップガイド５１ａ）が装着固定されている。
【００１６】
釣竿収納ケース１を構成する保持体３０は、図１に明確に示されるように、紙板材を複数回折り曲げることによって段付き形状に形成され、ケース本体１０の内周面に嵌合される凸状に折り曲げらた幅の狭い嵌合部３２と、嵌合部３２から段差３５を介して延びることによってケース本体１０内で収容空間Ｓを画定する釣竿保持部３４とを有する。なお、釣竿保持部３４の端部も折り曲げられてケース本体１０の内周面に嵌合される。
【００１７】
段差３５を介して延びる釣竿保持部３４の釣竿保持面３６および段差３５にはそれぞれ、固定手段を構成する後述する線状部材４０が挿通される例えば２ｍｍ直径の貫通穴３８，３９が形成される。このように、貫通穴３８，３９を釣竿保持面３６と段差３５とに振り分けて配置すると、後述するように、貫通穴３８，３９を通って縛られる線状部材４０によって緩衝部材２０を段差３５の角Ａに押し当てて保持することができる。
【００１８】
また、保持体３０に対して釣竿５０を固定するための前述した固定手段は、ケース本体１０の内周面と保持体３０の釣竿保持面３６上に保持される釣竿５０との間に介在して釣竿５０を衝撃から保護する緩衝部材２０と、緩衝部材２０を保持体３０に対して固定するための固定部材４０とを有する。
【００１９】
緩衝部材２０は、例えば発泡ポリエチレンから形成されており、円柱状を成している。また、緩衝部材２０は、釣竿５０の竿杆部５０ａを受けるスリット２０ａと、スリット２０ａにより竿杆部５０ａを受けた状態で竿杆部５０ａにその径方向に突出して設けられる段部、特に本実施形態では所定の釣糸ガイド（本実施形態では、竿先から５番目の釣糸ガイド５１ｃ）に当接する当接面（円柱の端面）２０ｂとを有する。スリット２０ａは、円柱状の緩衝部材２０の周側面にその軸方向の全長にわたって所定の深さで設けられる。
【００２０】
また、固定部材４０は、本実施形態では線状部材（いわゆるビニールタイであってもよい）から成り、この線状部材４０は、釣竿５０の竿杆部５０ａをスリット２０ａで受ける緩衝部材２０の当接面２０ｂを釣糸ガイド５１ｃに当接させた状態で、保持体３０に形成される２つの貫通穴３８，３９に通されて、釣竿５０に装着される緩衝部材２０の周囲で該緩衝部材２０を変形させるように縛られることによって、緩衝部材２０を釣竿５０と共に保持体３０に対して固定する。この場合、緩衝部材２０の周囲で該緩衝部材２０を変形させるように線状部材４０を縛ることにより、保持体３０に対する緩衝部材２０の軸方向の移動が線状部材４０によって規制されるとともに、竿杆部５０に対する緩衝部材２０の変形圧着に伴って緩衝部材２０内で竿杆部５０が軸方向に移動することも規制できる。なお、保持体３０に対する緩衝部材２０の軸方向移動の規制は、線状部材４０による緩衝部材２０の変形縛りの他、線状部材４０が係合できるスリットや凹部を緩衝部材２０の周面に設けることによっても実現できる。
【００２１】
次に、上記構成の釣竿収納ケース１内に釣竿５０を収納する手順について説明する。  
まず、保持体３０の２つの貫通穴３８，３９に線状部材４０を保持体３０の裏側（釣竿を保持する側と反対の側）から表側（釣竿を保持する側）へと通しておく（図１参照）。ここで、保持体３０の裏側に回された線状部材４０の部位４０ｃには、線状部材４０を後述するように縛り付ける前に補強テープを貼り付けることが好ましい。
【００２２】
続いて、釣竿５０に緩衝部材２０を装着する。具体的には、釣竿５０の竿先から例えば４番目の釣糸ガイド５１ｂと５番目の釣糸ガイド５１ｃとの間に位置する竿杆部５０ａを緩衝部材２０のスリット２０ａに通し、その状態で、緩衝部材２０の当接面２０ｂを５番目の釣糸ガイド５１ｃに対して上方から当接させる。このようにすると、緩衝部材２０は、後述する収納状態でケース本体１０の外部からそのスリット２０ａを視認できないように、スリット２０ａが保持体３０と対向されるように方向付けられて位置されるようになる。
【００２３】
なお、随意的に、釣竿５０の竿先を衝撃から保護するために、更なる緩衝部材６０が竿先に装着されてもよい（図１および図２に二点鎖線で示される）。この場合、緩衝部材６０には、竿先を挟み込むために、その長手方向の全長にわたって開口が設けられる。あるいは、釣糸ガイド５１ａ，５１ｂの取り付け位置に合わせた開口６２を設けることにより、釣竿５０に対する緩衝部材６０の軸方向の動きを規制できる。なお、この緩衝部材６０は例えばテープ止めによって固定されてもよい。
【００２４】
続いて、前述したように緩衝部材２０が装着された釣竿５０を保持体３０の釣竿保持面３６上に段差３５に隣接して載置する。また、このとき、保持体３０の２つの貫通穴３８，３９を貫通する線状部材４０の両端部４０ａ，４０ｂによって緩衝部材２０を縛ることができるように、緩衝部材２０を貫通穴３８，３９の形成位置に位置決めする（図２参照）。また、この位置決めは、保持体３０の下端と釣竿５０の基端５９とを揃えるようになされる。
【００２５】
このようにして、緩衝部材２０が装着された釣竿５０を保持体３０に対して位置決めしたら、貫通穴３８，３９を貫通する線状部材４０の両端部４０ａ，４０ｂを、釣竿５０に装着される緩衝部材２０の周囲で該緩衝部材２０を変形させるように縛り（例えば、線状部材４０を３回捻って結ぶ）、それにより、緩衝部材２０を釣竿５０と共に保持体３０に対して強固に固定する。このとき、緩衝部材２０は、段差３５の角Ａに押し当てられて保持される。また、この縛り付けに伴う結び目から延びる余分な線状部材４０は、ケース本体１０内に収納される際にケース本体１０の内面と干渉しないように、上方に折り曲げておくことが好ましい（図３参照）。
【００２６】
その後、固定手段２０，４０により釣竿５０が保持固定された保持体３０は、ケース本体１０の上部開口１４（図２参照）からケース本体１０内に収容される。このとき、保持体３０は、釣竿５０の竿先がケース本体１０の上部開口１４側に位置されるようにケース本体１０内に収容される（嵌挿される）。また、随意的に、竿袋７０も保持体３０の裏側の空き空間内に収納される。
【００２７】
そして、この収容状態で、折り蓋１３を閉じることによってケース本体１０の上部開口１４を閉塞する。その状態が図３に示される。このとき、保持体３０の下端は、釣竿５０の基端５９と共に、ケース本体１０の底面１５に当て付いた状態となり、したがって、釣竿５０の基端５９に当て付くケース本体１０の底面１５と釣竿５０の釣糸ガイド５１ｃに当接する緩衝部材２０の当接面２０ｂとによって釣竿５０が軸方向で挟み込まれる。これにより、釣竿５０の軸方向の動きが規制される。
【００２８】
以上説明したように、本実施形態の釣竿収納ケース１によれば、釣竿５０を保持する保持体３０に対して釣竿５０を固定するための固定手段２０，４０によってケース本体１０内での釣竿５０の左右方向（径方向）のガタ付きが規制されるとともに、釣竿５０の基端５９に当て付くケース本体１０の底面１５と釣竿５０の釣糸ガイド５１ｃに当接する緩衝部材２０の当接面２０ｂとによって釣竿５０を軸方向で挟み込むことにより釣竿５０の軸方向（上下方向；釣竿５０の長手方向）の動きが規制される。そのため、運搬中などにおいて激しい振動や衝撃に晒されても、釣竿５０がケース本体１０内でガタ付くことが防止され、また、釣竿５０がケース本体１０の内壁と激しく接触したり屈曲して破損することも防止できる。しかも、このような作用効果は、釣竿５０の基端５９をケース本体１０の底面１５に当て付けて固定手段２０，４０により釣竿５０を保持体３０に対して固定するだけの簡単な構造によって得ることができる。すなわち、本実施形態の釣竿収納ケース１によれば、釣竿５０をガタ付きなく且つ屈曲させることなく安定して収納保持できるとともに、構造が簡単で低コストな釣竿収納を実現できる。
【００２９】
以上、本発明の実施形態について説明したが、本発明は、その要旨を逸脱することなく種々変形して実施できる。例えば、前述した実施形態では、線状部材４０が保持体３０の表側で縛り付けられたが、保持体３０の裏側で或いは更にはケース本体１０の外側で縛り付けられてもよい。また、前述した実施形態において、緩衝部材２０をケース本体１０に対する圧入等によって保持体３０に対して完全に固定できる場合には、線状部材４０を使用しなくても構わない。また、前述した実施形態では、釣竿５０の竿先を衝撃から保護するために更なる緩衝部材６０が竿先に装着されているが、釣竿５０の竿先に装飾的な処理が施されるなど、竿先が審美性を有する場合には、緩衝部材６０を設けることなく竿先を外部に露出させて、購買意欲を喚起することもできる。また、前述した実施形態では、ケース本体１０の外面に貼り付けられるシール１２が開示されているが、このようなシール１２によって緩衝部材２０を外側から覆い隠すことにより見栄えを良くしてもよい。
【００３０】
また、前述した実施形態では、緩衝部材２０の当接面２０ｂが釣糸ガイド５１ｃに当接しているが、緩衝部材２０の当接面２０ｂが当接する段部（竿杆部５０ａにその径方向に突出して設けられる段部）は釣糸ガイドに限らない。例えば、そのような段部は、竿杆部５０ａの外面に形成される段差部や、魚釣用リールが装着される把持部５０ｂのリールシート（図示せず）と竿杆部５０ａ外面との間の段差部であってもよい。また、前述した実施形態では、緩衝部材２０が円柱状を成しているが、緩衝部材２０が直方体などの角柱形状を成していてもよい。いずれにしても、緩衝部材２０は、円柱形状や角柱形状を含む柱状体であればよい。また、前述した実施形態では、緩衝部材２０の当接面２０ｂが円柱の端面であるが、当接面２０ｂは緩衝部材２０の端面である必要はない。緩衝部材２０の中央部を含む途中部分に当接面が形成され、この当接面が竿杆部の段部に当接しても構わない。
【符号の説明】
【００３１】
１  釣竿収納ケース
１０  ケース本体
１５  底面
２０  緩衝部材（固定手段）
２０ａ  スリット
２０ｂ  当接面
３０  保持体
３２  嵌合部
３４  釣竿保持部
３５  段差
３６  釣竿保持面
３８，３９  貫通穴
４０  線状部材（固定手段；固定部材）
５０  釣竿
５０  竿杆部
５９  基端
５１ａ，５１ｂ，５１ｃ  釣糸ガイド
Ｓ  収容空間
【図１】
2016067305.tif 000003
【図２】
2016067305.tif 000004
【図３】
2016067305.tif 000005